(57)【要約】【課題】作業姿勢の悪さに伴うＶＤＴ症候群の症状発生を予防する。【解決手段】表示装置１０３の画面の周囲の少なくとも２箇所に配置され、表示装置１０３の画面に向かう作業者までの距離を検出する複数の距離センサ１０５と、複数の距離センサ１０５各々より検出された距離を無線通信により取得するＵＳＢレシーバ１０９と、取得した距離に基づいて作業者の作業姿勢を判定し、その判定結果に基づいて作業姿勢に関する警告信号を出力する作業姿勢判定プログラム２００と、を有する。【選択図】図１
2010046208.tif 000002
【特許請求の範囲】
【請求項１】
入力装置と表示装置とを備え、当該表示装置の画面に向かって当該入力装置を操作する作業者に、作業姿勢に関する警告信号を出力する情報処理装置による情報処理方法であって、
前記情報処理装置が、
前記表示装置の画面の周囲の少なくとも２箇所に配置される距離センサより、前記表示装置の画面から作業者までの距離を取得するステップと、
取得した距離に基づいて作業者の作業姿勢を判定するステップと、
前記作業姿勢の判定結果に基づいて作業姿勢に関する警告信号を出力するステップと、
を実行することを特徴とする情報処理方法。
【請求項２】
請求項１に記載の情報処理方法であって、
前記距離センサは、画面垂直方向上の位置が異なる第１距離センサ並びに第２距離センサを有し、
前記作業姿勢を判定するステップは、
前記第１距離センサ及び前記第２距離センサ各々より取得された距離の差分が、作業者が画面に対し前傾し過ぎているか否かの境界を示す第１閾値を上回るか否かを判定するステップを有し、
前記警告信号を出力するステップは、
前記第１閾値を上回る場合に、当該作業者の作業姿勢が画面に対し前傾し過ぎている旨を示す警告信号を出力するステップを有すること、
を特徴とする情報処理方法。
【請求項３】
請求項１又は２に記載の情報処理方法であって、
前記距離センサは、画面水平方向上の位置が異なる第３距離センサ並びに第４距離センサを有し、
前記作業姿勢を判定するステップは、
前記第３距離センサ及び前記第４距離センサ各々より取得された距離の差分が、作業者が画面に対し斜め過ぎているか否かの境界を示す第２閾値を上回るか否かを判定するステップを有し、
前記警告信号を出力するステップは、
前記第２閾値を上回る場合に、当該作業者の作業姿勢が画面に対し斜め過ぎている旨を示す警告信号を出力するステップを有すること、
を特徴とする情報処理方法。
【請求項４】
請求項２又は３に記載の情報処理方法であって、
前記距離センサより取得された複数の距離のいずれかが、作業者が画面に接近し過ぎているか否かの境界を示す第３閾値を下回るか否かを判定するステップを有し、
前記警告信号を出力するステップは、
前記第３閾値を下回る場合に、当該作業者の作業姿勢が画面に接近し過ぎている旨を示す警告信号を出力するステップを有すること、
を特徴とする情報処理方法。
【請求項５】
請求項１乃至４のいずれか１項に記載の情報処理方法であって、
前記表示装置の画面の周囲に配置される画像センサより、作業者の目を撮影した画像を取得するステップと、
取得された作業者の目の画像に基づいて、前記作業者の目線が画面に向かっているか否かを判定するステップと、を有し、
前記作業姿勢を判定するステップは、
前記作業者の目線が画面に向かっていない場合に、前記作業姿勢の判定を無効化するステップを有すること、
を特徴とする情報処理方法。
【請求項６】
請求項１乃至５のいずれか１項に記載の情報処理方法であって、
前記警告信号を出力するステップは、
前記警告信号を前記表示装置の画面に表示させるステップを有すること、を特徴とする情報処理方法。
【請求項７】
情報処理装置の表示装置の画面の周囲の少なくとも２箇所に配置される距離センサより、当該表示装置の画面から当該情報処理装置の入力装置を操作する作業者までの距離を取得する機能と、
取得した距離に基づいて作業者の作業姿勢を判定する機能と、
前記作業姿勢の判定結果に基づいて作業姿勢に関する警告信号を出力する機能と、
をコンピュータに実現させるためのプログラム。
【請求項８】
入力装置と表示装置とを備え、当該表示装置の画面に向かって当該入力装置を操作する作業者に作業姿勢に関する警告信号を出力する情報処理装置であって、
前記表示装置の画面の周囲の少なくとも２箇所に配置される距離センサより、前記表示装置の画面から作業者までの距離を取得する距離取得部と、
取得した距離に基づいて作業者の作業姿勢を判定する作業姿勢判定部と、
前記作業姿勢の判定結果に基づいて作業姿勢に関する警告信号を出力する警告出力部と、
を有することを特徴とする情報処理装置。
【発明の詳細な説明】
【技術分野】
【０００１】
本発明は、情報処理方法、プログラム、情報処理装置に関する。
【背景技術】
【０００２】
ＶＤＴ（Visual Display Terminals）作業による心身の疲労が問題となっている。厚生労働省によるＶＤＴ作業の実態調査（「技術革新と労働に関する実態調査（平成１５年度）」）の方でも、ＶＤＴ作業により心身の疲労感を感じているＶＤＴ作業者の割合が今なお多いことが明らかにされている。
【０００３】
特許文献１には、ディスプレイに視覚センサを設け、ＶＤＴ作業者が画面に近づき過ぎると警告を出力するシステムが提案されている。当該システムでは、ＶＤＴ作業を長時間行うと、つい夢中になって画面に接近し過ぎてしまい、眼疲労や視力低下に繋がるため、それらを予防する対策を実現している。
【特許文献１】特開２００３−７０７６８号公報
【発明の開示】
【発明が解決しようとする課題】
【０００４】
ところで、ＶＤＴ作業に夢中になると、画面に接近し過ぎることはもとより、頭を突き出した形の前傾姿勢（猫背）や背筋をねじ曲げた姿勢となる場合がある。このような悪い作業姿勢のままＶＤＴ作業を継続すると、肩凝り、腰痛、偏頭痛等の原因となる。
【０００５】
本発明は、このような課題に鑑みてなされたもので、ＶＤＴ作業者の作業姿勢の悪さを検出して警告信号を出力することにより、作業姿勢の悪さに伴うＶＤＴ症候群の症状発生を予防することを目的とする。
【課題を解決するための手段】
【０００６】
前述した課題を解決する主たる本発明は、入力装置と表示装置とを備え、当該表示装置の画面に向かって当該入力装置を操作する作業者に、作業姿勢に関する警告信号を出力する情報処理装置による情報処理方法であって、前記情報処理装置が、前記表示装置の画面の周囲の少なくとも２箇所に配置される距離センサより、前記表示装置の画面から作業者までの距離を取得するステップと、取得した距離に基づいて作業者の作業姿勢を判定するステップと、前記作業姿勢の判定結果に基づいて作業姿勢に関する警告信号を出力するステップと、を実行することを特徴とする。
【０００７】
また、上記の情報処理方法であって、前記距離センサは、画面垂直方向上の位置が異なる第１距離センサ並びに第２距離センサを有し、前記作業姿勢を判定するステップは、前記第１距離センサ及び前記第２距離センサ各々より取得された距離の差分が、作業者が画面に対し前傾し過ぎているか否かの境界を示す第１閾値を上回るか否かを判定するステップを有し、前記警告信号を出力するステップは、前記第１閾値を上回る場合に、当該作業者の作業姿勢が画面に対し前傾し過ぎている旨を示す警告信号を出力するステップを有すること、としてもよい。
【０００８】
また、上記の情報処理方法であって、前記距離センサは、画面水平方向上の位置が異なる第３距離センサ並びに第４距離センサを有し、前記作業姿勢を判定するステップは、前記第３距離センサ及び前記第４距離センサ各々より取得された距離の差分が、作業者が画面に対し斜め過ぎているか否かの境界を示す第２閾値を上回るか否かを判定するステップを有し、前記警告信号を出力するステップは、前記第２閾値を上回る場合に、当該作業者の作業姿勢が画面に対し斜め過ぎている旨を示す警告信号を出力するステップを有すること、としてもよい。
【０００９】
また、上記の情報処理方法であって、前記距離センサより取得された複数の距離のいずれかが、作業者が画面に接近し過ぎているか否かの境界を示す第３閾値を下回るか否かを判定するステップを有し、前記警告信号を出力するステップは、前記第３閾値を下回る場合に、当該作業者の作業姿勢が画面に接近し過ぎている旨を示す警告信号を出力するステップを有すること、としてもよい。
【００１０】
また、上記の情報処理方法であって、前記表示装置の画面の周囲に配置される画像センサより、作業者の目を撮影した画像を取得するステップと、取得された作業者の目の画像に基づいて、前記作業者の目線が画面に向かっているか否かを判定するステップと、を有し、前記作業姿勢を判定するステップは、前記作業者の目線が画面に向かっていない場合に、前記作業姿勢の判定を無効化するステップを有すること、としてもよい。
【００１１】
また、上記の情報処理方法であって、前記警告信号を出力するステップは、前記警告信号を前記表示装置の画面に表示させるステップを有すること、としてもよい。
【００１２】
また、前述した課題を解決するためのその他の主たる本発明は、情報処理装置の表示装置の画面の周囲の少なくとも２箇所に配置される距離センサより、当該表示装置の画面から当該情報処理装置の入力装置を操作する作業者までの距離を取得する機能と、取得した距離に基づいて作業者の作業姿勢を判定する機能と、前記作業姿勢の判定結果に基づいて作業姿勢に関する警告信号を出力する機能と、をコンピュータに実現させるためのプログラムである。
【００１３】
また、前述した課題を解決するためのさらにその他の主たる本発明は、入力装置と表示装置とを備え、当該表示装置の画面に向かって当該入力装置を操作する作業者に作業姿勢に関する警告信号を出力する情報処理装置であって、前記表示装置の画面の周囲の少なくとも２箇所に配置される距離センサより、前記表示装置の画面から作業者までの距離を取得する距離取得部と、取得した距離に基づいて作業者の作業姿勢を判定する作業姿勢判定部と、前記作業姿勢の判定結果に基づいて作業姿勢に関する警告信号を出力する警告出力部と、を有することを特徴とする。
【発明の効果】
【００１４】
本発明によれば、ＶＤＴ作業者の作業姿勢の悪さを検出して警告を出力することにより、作業姿勢の悪さに伴うＶＤＴ症候群の症状発生を予防することができる。
【発明を実施するための最良の形態】
【００１５】
＜＜ＶＤＴ機器の構成＞＞
ＶＤＴ機器は、文字や図形等の情報を表示する表示装置と入力装置とを有する情報処理装置であり、デスクトップ型やノート型のパーソナルコンピュータ（以下、パソコンと略称する。）、店舗等で使用するＰＯＳ（Point Of Sale）用端末、システム監視用の表示パネル等として利用される。尚、ＶＤＴ機器を使用して、データの入力、検索、照合等、文章や画像等の作成、編集、修正等、プログラミング、監視等を行う作業はＶＤＴ作業と呼ばれている。また、ＶＤＴ作業を長時間継続することで心身に支障をきたす病気はＶＤＴ症候群と呼ばれている。
【００１６】
本発明のＶＤＴ機器は、上記の構成や機能に加えて、表示装置の画面に向かって入力装置を操作するＶＤＴ作業者に対して作業姿勢を注意喚起する構成並びに機能を具備する。
【００１７】
図１は、本発明の一実施形態に係るＶＤＴ機器１００及び周辺機器の構成を示したブロック図である。
【００１８】
ＶＤＴ機器１００は、ＣＰＵ(Central Processing Unit)１０１、入力装置１０２、表示装置１０３、表示ドライバ１０４、距離センサ１０５、画像センサ１０６、出力装置１０７、ＵＳＢ(Universal Serial Bus)インタフェース１０８、ＵＳＢレシーバ１０９、メモリ１１０、ハードディスク１１１、を有する。
【００１９】
ＣＰＵ１０１は、ＶＤＴ機器１００全体の制御を司るプロセッサである。尚、ＣＰＵ１０１の他に、マイクロコンピュータや、マイクロプロセッサとして実施しても良い。  
入力装置１０２は、ＶＤＴ作業者がデータの入力等を行う装置であって、キーボード、マウス、テンキー入力機器等で実施される。  
表示装置１０３は、ＶＤＴ作業者がＶＤＴ作業の際に画面に表示された文字や画像等を視覚的に確認するための装置であって、液晶ディスプレイ、液晶パネル、ブラウン管等で実施される。  
表示ドライバ１０４は、表示装置１０３における文字や画像等の画面表示を制御するドライバである。
【００２０】
距離センサ１０５は、表示装置１０３の画面の周囲（例えば、画面を取り囲むフレーム）に画面垂直方向上の位置が異なる少なくとも２箇所に配置され、表示装置１０３の画面に向かうＶＤＴ作業者までの距離を検出するセンサである。距離センサ１０５は、赤外線距離センサ、超音波距離センサ、レーザ距離センサ等で実施される。また、距離センサ１０５は、Ｂｌｕｅｔｏｏｔｈ(登録商標)やＩｒＤＡ等の規格に応じた無線通信機能を具備しており、検出した距離を無線通信によってＵＳＢレシーバ１０９に送信する。
【００２１】
画像センサ１０６は、表示装置１０３の画面の周囲（例えば、画面を取り囲むフレーム）にＶＤＴ作業者の目の画像を撮影するセンサである。画像センサ１０６は、ＣＣＤ（Charge Coupled Device）カメラ、ＣＭＯＳ(Complementary Metal Oxide Semiconductor)カメラ等で実施される。また、画像センサ１０６は、距離センサ１０５と同様に、Ｂｌｕｅｔｏｏｔｈ(登録商標)やＩｒＤＡ等の規格に応じた無線通信機能を具備しており、検出した画像を無線通信によってＵＳＢレシーバ１０９に送信する。
【００２２】
尚、距離センサ１０５並びに画像センサ１０６は、ＵＳＢ機器であって、ＵＳＢレシーバ１０９とＵＳＢケーブルで接続する実施であってもよい。この場合、距離センサ１０５並びに画像センサ１０６は、ＵＳＢレシーバ１０９よりＵＳＢケーブルを介して電源供給を受けることができる。
【００２３】
出力装置１０７は、表示装置１０３以外の出力装置であって、スピーカ、プリンタ等として実施される。
【００２４】
ＵＳＢインタフェース１０８は、ＶＤＴ機器が備えるＵＳＢポート（不図示）に接続された各種ＵＳＢ機器との間で情報の授受を行う通信インタフェースである。尚、ＵＳＢポートに接続されたＵＳＢ機器は、ＵＳＢインタフェース１０８を介して電源供給を受けることができる。
【００２５】
ＵＳＢレシーバ１０９は、ＵＳＢインタフェース１０８に接続されるＵＳＢ機器の一つである。ＵＳＢレシーバ１０９は、複数の距離センサ１０５により検出された距離や画像センサ１０６により検出された画像を無線通信によって受信する機能を具備する。尚、ＵＳＢレシーバ１０９は、本願請求項に係る距離取得部に対応する。
【００２６】
メモリ１１０は、ＶＤＴ機器１００の主記憶装置であって、ＲＡＭ、ＲＯＭ等で実施される。ＣＰＵ１０１は、メモリ１０２に格納されたデータやプログラムを用いて各種の処理を実行する。
【００２７】
ハードディスク１１１は、ＶＤＴ機器１００の補助記憶装置である。尚、ハードディスク１１１には、ＣＤ媒体やＤＶＤ媒体等の記録媒体に格納されたＶＤＴ作業姿勢判定プログラム２００がインストールされている。ＶＤＴ作業姿勢判定プログラム２００は、画像処理モジュール２１０、距離検出モジュール２２０、作業姿勢判定モジュール２３０を有しており、これらを呼び出すメインルーチンとなっている。
【００２８】
画像処理モジュール２１０は、画像センサ１０６より送られてくる画像を画像処理するプログラムである。例えば、原画像のピクセル毎に色情報を識別する処理を行う。これにより、ＶＤＴ作業者の目線（網膜、瞳孔等）の位置が識別可能となる。
【００２９】
距離検出モジュール２２０は、複数の距離センサ１０５とＵＳＢレシーバ１０９との間のデータ授受の時間差や表示装置１０３の姿勢に応じて、複数の距離センサ１０５より送られてくる複数の距離が対比可能なように補正を施すプログラムである。
【００３０】
作業姿勢判定モジュール２３０は、画像処理モジュール２１０の処理結果として得られるＶＤＴ作業者の目線の位置と、距離検出モジュール２２０の処理結果として得られるＶＤＴ作業者との間の距離と、を総合的に考量して、ＶＤＴ作業者の作業姿勢が悪いか否かを判定し、作業姿勢が悪い場合にはＶＤＴ作業者に向けた警告信号を出力するプログラムである。尚、警告信号の出力は、表示ドライバ１０４によって作業姿勢が悪い旨の警告メッセージ（警告信号の一例）を表示装置１０３の画面に表示させることで実施される。
【００３１】
尚、ＶＤＴ作業姿勢判定プログラム２００は、ハードディスク１１１にインストールされる実施に限定されない。ＶＤＴ作業姿勢判定プログラム２００が格納されたＣＤ媒体やＤＶＤ媒体等の記録媒体をＶＤＴ機器１００が備えるＣＤ・ＤＶＤ再生装置（不図示）から直接再生して実行する実施であってもよい。また、ＶＤＴ作業姿勢判定プログラム２００が実行する機能は、集積回路等のハードウェアとして実施してもよい。
【００３２】
また、警告信号の出力は、警告メッセージを画面に表示する実施形態に限定されず、出力装置１０７としてのスピーカより警告メッセージや警告音を音声出力する実施形態としてもよい。
【００３３】
＜＜距離センサ及び画像センサの取付位置＞＞
以下では、図２を用いて、図１に示したＶＤＴ機器１００の一例としてノート型パソコン３００を例に挙げ、その表示装置１０３における距離センサ１０５及び画像センサ１０６の取付位置について詳述する。
【００３４】
図２に示すノート型パソコン３００は、図１に示したＶＤＴ機器１００との関係で、本体筐体１０２３の一部を構成するキーボード１０２１及びポインティングデバイス１０２２が入力装置１０２に対応する。  
また、液晶パネル１０３１と液晶パネル１０３１の周囲を取り囲むフレーム１０３２とで構成された液晶筐体１０３３が表示装置１０３に対応する。尚、図２では、液晶パネル１０３１の中央位置に、警告メッセージ１０３５が表示される場合を示している。  
また、５つの距離センサ１０５ａ〜１０５ｅが距離センサ１０５に対応する。  
画像センサ１０６は、液晶パネル１０３１に対し紙面上側のフレーム１０３２の中央部に配置される。
【００３５】
距離センサ１０５ａは、液晶パネル１０３１に対し紙面上側のフレーム１０３２中央部に配置される。尚、画像センサ１０６と水平方向上並んだ配置となる。  
距離センサ１０５ｂは、液晶パネル１０３１に対し紙面右側のフレーム１０３２中央部に配置される。  
距離センサ１０５ｃは、液晶パネル１０３１に対し紙面左側のフレーム１０３２中央部に配置される。  
距離センサ１０５ｄは、液晶パネル１０３１に対し紙面右側のフレーム１０３２下部（つまり、右下隅）に配置される。  
距離センサ１０５ｅは、液晶パネル１０３１に対し紙面左側のフレーム１０３２の下部（つまり、左下隅）に配置される。
【００３６】
以上の配置により、液晶表示パネル１０３１の垂直方向上の位置として紙面上側から紙面下側に向けて、距離センサ１０５ａ、距離センサ１０５ｂ及び１０５ｃ、距離センサ１０５ｄ及び１０５ｅの順に配置される。
【００３７】
尚、本願請求項に係る垂直方向上の位置が異なる第１距離センサ並びに第２の距離センサは、距離センサ１０５ａ（第１距離センサ）と距離センサ１０５ｂ（第２距離センサ）との場合、距離センサ１０５ａ（第１距離センサ）と距離センサ１０５ｂ（第２距離センサ）との場合、距離センサ１０５ａ（第１距離センサ）と距離センサ１０５ｃ（第２距離センサ）との場合、距離センサ１０５ｂ（第１距離センサ）と距離センサ１０５ｄ（第２距離センサ）との場合、距離センサ１０５ｃ（第１距離センサ）と距離センサ１０５ｅ（第２距離センサ）との場合が対応する。
【００３８】
また、液晶表示パネル１０３１の水平方向上の位置として紙面右側から紙面左側に向けて、距離センサ１０５ｂ及び１０５ｄ、距離センサ１０５ａ、距離センサ１０５ｃ及び１０５ｅの順に配置される。
【００３９】
尚、本願請求項に係る水平方向上の位置が異なる第３距離センサ並びに第４の距離センサは、距離センサ１０５ｂ（第３距離センサ）と距離センサ１０５ｃ（第４距離センサ）との場合、距離センサ１０５ｄ（第３距離センサ）と距離センサ１０５ｅ（第４距離センサ）との場合が対応する。
【００４０】
図３は、ＶＤＴ作業者との各種センサとの位置関係を示した図である。尚、図３に示す例では、本体筐体１０２３に対し、液晶筐体１０３３が垂直な位置（同図に示す線ＸＬ上の位置）から角度θ分背後に倒れた位置（同図に示す線ＹＬ上の位置）に保持される場合とする。
【００４１】
画像センサ１０６は、本体筐体１０２３が載置される載置台（事務机上等）４００と平行な位置（同図に示す水平線ＨＬと平行な位置）に、ＶＤＴ作業者の目周辺が位置づけられる。当該目周辺の画像を画像Ｆとして表現する。
【００４２】
距離センサ１０５ａは、同図に示す水平線ＨＬと平行な位置に、ＶＤＴ作業者の頭部中央部が位置づけられる。尚、距離センサ１０５ａからＶＤＴ作業者の頭部中央部までの距離を距離Ｌ１として表現する。  
距離センサ１０５ｂ（１０５ｃ）は、同図に示す水平線ＨＬと平行な位置に、ＶＤＴ作業者の右胸部（左胸部）が位置づけられる。尚、距離センサ１０５ｂ（１０５ｃ）からＶＤＴ作業者の右胸部（左胸部）までの距離を距離Ｌ２（Ｌ３）として表現する。  
距離センサ１０５ｄ（１０５ｅ）は、同図に示す水平線ＨＬと平行な位置に、ＶＤＴ作業者の右腹部（左腹部）が位置づけられる。尚、距離センサ１０５ｄ（１０５ｅ）からＶＤＴ作業者の右腹部（左腹部）までの距離を距離Ｌ４（Ｌ５）として表現する。
【００４３】
尚、前述したガイドラインでは、「おおむね４０ｃｍ以上の視距離が確保できるようにする」旨が記載されている。液晶筐体１０３３が基準位置（線ＸＬ上の位置）の場合に、距離センサ１０５ａからＶＤＴ作業者までの距離Ｌ１に対して、ＶＤＴ作業者が画面に接近し過ぎているか否かの境界を示す閾値ＬＡ（本願請求項に係る第３閾値）を設定する。本実施形態では、閾値ＬＡとして４０〜６０ｃｍの範囲内の距離で設定する。
【００４４】
また、距離Ｌ２、Ｌ３の差分（｜Ｌ２−Ｌ３｜）、距離Ｌ４、Ｌ５の差分（｜Ｌ４−Ｌ５｜）によって、ＶＤＴ作業者の背筋の曲がり度合い（背筋の斜め度合い）を識別することができる。そこで、これらの差分に対して、ＶＤＴ作業者が画面に対し斜め過ぎているか否かの境界を示す閾値ＬＢを設定する。本実施形態では、閾値ＬＢとして３０〜１００ｃｍの範囲内の距離で設定する。
【００４５】
また、距離Ｌ１、Ｌ２の差分（Ｌ２−Ｌ１）、距離Ｌ１、Ｌ３の差分（Ｌ３−Ｌ１）、距離Ｌ２、Ｌ４の差分（Ｌ４−Ｌ２）、距離Ｌ３、Ｌ５の差分（Ｌ５−Ｌ３）によって、ＶＤＴ作業者の前傾姿勢の度合いを識別することができる。そこで、これらの差分に対して、ＶＤＴ作業者が画面に対し前傾し過ぎているか否かの境界を示す閾値ＬＣを設定する。本実施形態では、閾値ＬＣとして１０〜３０ｃｍの範囲内の距離で設定する。
【００４６】
尚、各センサ（１０５ａ〜１０５ｅ、１０６）は、液晶筐体１０３３の角度に関係なく、ＶＤＴ作業者に対して水平方向を向くように、重力を利用した首振りできる構造が好ましい。
【００４７】
また、距離センサ１０５ａ〜１０５ｅの個数並びに配置は、図２、図３に示した個数並びに配置位置に限られない。例えば、前傾姿勢の度合いを識別するにあたり、距離センサ１０５は少なくとも２個備えていればよく、例えば、距離センサ１０５ａと対向する位置に距離センサを備え、その他の距離センサ１０５ｂ〜１０５ｄを備えなくても良い。また、背筋の曲がり度合いを識別するにあたり、距離センサ１０５は少なくとも２個備えていればよく、例えば、距離センサ１０５ｂ、１０５ｃを省略してもよい。
【００４８】
＜＜作業姿勢の注意喚起方法（情報処理方法）＞＞
図４に示すフローチャートを用いて、図３に示したノート型パソコン３００によるＶＤＴ作業者の作業姿勢の注意喚起方法の処理の流れを説明する。尚、以下の処理の主体は、特に断らない限り、ＶＤＴ作業姿勢判定プログラム２００を実行するＣＰＵ１０１である。
【００４９】
まず、ＶＤＴ作業者は、液晶筐体１０３３を開いて、キーボード１０２２等を操作しながら、液晶筐体１０３３の液晶パネル１０３１の表示を確認するＶＤＴ作業を実施している。この場合、画像センサ１０６は、ＶＤＴ作業者の目周辺の画像Ｆを撮影し、ＵＳＢレシーバ１０９に向けて送信している。同様に、距離センサ１０５ａ〜１０５ｅは、ＶＤＴ作業者との間の距離Ｌ１〜Ｌ５をそれぞれ検出して、ＵＳＢレシーバ１０９に向けて送信している。
【００５０】
ノート型パソコン３００は、ＶＤＴ作業の開始とともに、ハードディスク１１１に格納されたＶＤＴ作業姿勢判定プログラム２００をメモリ１１０に移行してＣＰＵ１０１による実行を開始する。ＵＳＢレシーバ１０９において画像Ｆや距離Ｌ１〜Ｌ５が受信されると、ノート型パソコン３００は、ＵＳＢインタフェース１０８を介して取得し、画像処理モジュール２１０や距離検出モジュール２２０を呼び出して実行する。これにより、作業姿勢判定モジュール２３０が処理可能なフォーマットに画像Ｆや距離Ｌ１〜Ｌ５が変換される。そして、ＣＰＵ１０１は、作業姿勢判定モジュール２３０を呼び出して実行する。
【００５１】
以上の状況下で、まず、Ｓ４０１では、ＣＰＵ１０１が、画像処理モジュール２１０によって処理された画像Ｆに基づいて、ＶＤＴ作業者の視線が液晶パネル１０３１に向かっているか否かを判定する。例えば、液晶パネル１０３１に向かっている状態の目の画像を基準として判定する。視線が下を向いたり遠くを向いたり等、視線が液晶パネル１０３１に向かっていない場合（Ｓ４０１：ＮＯ）、作業姿勢に関する警告信号の出力を無効化する。具体的には、Ｓ４０１に戻る。一方、視線が液晶パネル１０３１に向かっている場合（Ｓ４０１：ＹＥＳ）、Ｓ４０２に進む。
【００５２】
Ｓ４０２では、ＣＰＵ１０１は、距離検出モジュール２２０によって処理された距離Ｌ１〜Ｌ５のいずれかが閾値ＬＡより小さいか否かを判定する（Ｓ４０２）。つまり、ＶＤＴ作業者が液晶パネル１０３１に接近し過ぎているか否かの判定を行う。距離Ｌ１〜Ｌ５の全てが閾値ＬＡより大きい場合（Ｓ４０２：ＮＯ）、Ｓ４０３に進み、距離Ｌ１〜Ｌ５のいずれかが閾値ＬＡより小さい場合（Ｓ４０２：ＹＥＳ）、Ｓ４０９に進む。
【００５３】
Ｓ４０３では、ＣＰＵ１０１は、距離Ｌ２、Ｌ３の差分の絶対値｜Ｌ２−Ｌ３｜、距離Ｌ４、Ｌ５の差分の絶対値｜Ｌ４−Ｌ５｜を演算する。そして、ＣＰＵ１０１は、｜Ｌ２−Ｌ３｜、｜Ｌ４−Ｌ５｜のいずれかが閾値ＬＢより大きいか否かを判定する。つまり、ＶＤＴ作業者の作業姿勢が斜め過ぎているか否かの判定を行う。｜Ｌ２−Ｌ３｜、｜Ｌ４−Ｌ５｜の全てが閾値ＬＢより小さい場合（Ｓ４０３：ＮＯ）、Ｓ４０４に進み、｜Ｌ２−Ｌ３｜、｜Ｌ４−Ｌ５｜のいずれかが閾値ＬＢより大きい場合（Ｓ４０３：ＮＯ）、Ｓ４０６に進む。
【００５４】
Ｓ４０４では、ＣＰＵ１０１は、距離Ｌ２、Ｌ１の差分Ｌ２−Ｌ１、距離Ｌ３、Ｌ１の差分Ｌ３−Ｌ１、距離Ｌ４、Ｌ２の差分Ｌ４−Ｌ２、距離Ｌ５、Ｌ３の差分Ｌ５−Ｌ３のいずれかが閾値ＬＣより大きいか否かを判定する。つまり、ＶＤＴ作業者の作業姿勢が前傾し過ぎているか否かの判定を行う。Ｌ２−Ｌ１、Ｌ３−Ｌ１、Ｌ４−Ｌ２、Ｌ５−Ｌ３の全てが閾値ＬＣより小さい場合（Ｓ４０４：ＮＯ）、接近し過ぎでなく、斜め過ぎでもなく、また前傾し過ぎでもないため、何らの警告信号の出力を行わないで、Ｓ４０１に戻る。一方、Ｌ２−Ｌ１、Ｌ３−Ｌ１、Ｌ４−Ｌ２、Ｌ５−Ｌ３のいずれかが閾値ＬＣより大きい場合（Ｓ４０４：ＹＥＳ）、接近し過ぎでなく、斜め過ぎでもないが、前傾し過ぎであるため、その旨の警告信号の出力を行う（Ｓ４０５）。そして、Ｓ４０１に戻る。
【００５５】
Ｓ４０６では、Ｓ４０４と同様にＶＤＴ作業者の作業姿勢が前傾し過ぎているか否かの判定を行う。Ｌ２−Ｌ１、Ｌ３−Ｌ１、Ｌ４−Ｌ２、Ｌ５−Ｌ３の全てが閾値ＬＣより小さい場合（Ｓ４０６：ＮＯ）、接近し過ぎでなく、前傾し過ぎでもないが、斜め過ぎであるため、その旨の警告信号の出力を行う（Ｓ４０７）。そして、Ｓ４０１に戻る。一方、Ｌ２−Ｌ１、Ｌ３−Ｌ１、Ｌ４−Ｌ２、Ｌ５−Ｌ３のいずれかが閾値ＬＣより大きい場合（Ｓ４０６：ＹＥＳ）、接近し過ぎでないが、斜め過ぎであり、また前傾し過ぎでもあるため、その旨の警告信号の出力を行う（Ｓ４０８）。そして、Ｓ４０１に戻る。
【００５６】
Ｓ４０９では、Ｓ４０３と同様にＶＤＴ作業者の作業姿勢が斜め過ぎているか否かの判定を行う。｜Ｌ２−Ｌ３｜、｜Ｌ４−Ｌ５｜の全てが閾値ＬＢより小さい場合（Ｓ４０９：ＮＯ）、Ｓ４１０に進み、｜Ｌ２−Ｌ３｜、｜Ｌ４−Ｌ５｜のいずれかが閾値ＬＢより大きい場合（Ｓ４０９：ＮＯ）、Ｓ４１３に進む。
【００５７】
Ｓ４１０では、Ｓ４０４と同様に、ＶＤＴ作業者の作業姿勢が前傾し過ぎているか否かの判定を行う。Ｌ２−Ｌ１、Ｌ３−Ｌ１、Ｌ４−Ｌ２、Ｌ５−Ｌ３の全てが閾値ＬＣより小さい場合（Ｓ４１０：ＮＯ）、前傾し過ぎでないが、斜め過ぎでもないが、接近し過ぎであるため、その旨の警告信号の出力を行う（Ｓ４１１）。そして、Ｓ４０１に戻る。一方、Ｌ２−Ｌ１、Ｌ３−Ｌ１、Ｌ４−Ｌ２、Ｌ５−Ｌ３のいずれかが閾値ＬＣより大きい場合（Ｓ４１０：ＹＥＳ）、接近し過ぎでなく、斜め過ぎでもないが、前傾し過ぎであるため、その旨の警告信号の出力を行う（Ｓ４１２）。そして、Ｓ４０１に戻る。
【００５８】
Ｓ４１３では、Ｓ４０４と同様に、ＶＤＴ作業者の作業姿勢が前傾し過ぎているか否かの判定を行う。Ｌ２−Ｌ１、Ｌ３−Ｌ１、Ｌ４−Ｌ２、Ｌ５−Ｌ３の全てが閾値ＬＣより小さい場合（Ｓ４１３：ＮＯ）、前傾し過ぎでないが、接近し過ぎであり、また斜め過ぎでもあるため、その旨の警告信号の出力を行う（Ｓ４１４）。そして、Ｓ４０１に戻る。一方、Ｌ２−Ｌ１、Ｌ３−Ｌ１、Ｌ４−Ｌ２、Ｌ５−Ｌ３のいずれかが閾値ＬＣより大きい場合（Ｓ４１３：ＹＥＳ）、接近し過ぎであり、斜め過ぎでもあり、また前傾し過ぎでもあるため、その旨の警告信号の出力を行う（Ｓ４１５）。そして、Ｓ４０１に戻る。
【００５９】
以上、上記の作業姿勢の注意喚起方法によれば、ＶＤＴ機器１００（ノート型パソコン３００）は、表示装置１０３の画面垂直方向上の位置が異なる少なくとも２箇所に配置された距離センサ１０５より取得した距離に基づいて、ＶＤＴ作業者の画面に対する前傾姿勢の度合いを検出することができる。また、前傾し過ぎであればその旨を示す警告信号を出力するため、作業姿勢の悪さに伴うＶＤＴ症候群の症状（肩凝り、腰痛、偏頭痛等）発生を事前に予防することが可能となる。
【００６０】
また、表示装置１０３の画面垂直方向上の位置が異なる少なくとも１組の距離センサ（例えば、距離センサ１０５ａ、１０５ｂ）より取得した距離に基づいて、ＶＤＴ作業者の作業姿勢が前傾し過ぎているか否かの判定並びにその旨の警告信号の出力を個別具体的に行うことができる。
【００６１】
また、表示装置１０３の画面水平方向上の位置が異なる少なくとも１組の距離センサ（例えば、距離センサ１０５ｂ、１０５ｃ）により検出された距離に基づいて、ＶＤＴ作業者の作業姿勢が斜め過ぎているか否かの判定並びにその旨の警告信号の出力を個別具体的に行うことができる。
【００６２】
さらに、上記の作業姿勢の悪さ（前傾し過ぎ、斜め過ぎ）の判定並びに警告に加えて、複数の距離センサ１０５により検出された距離に基づいて、ＶＤＴ作業者の作業姿勢が接近し過ぎているか否かの判定並びにその旨の警告信号の出力を行うことができる。
【００６３】
また、表示装置１０３に備えた画像センサ１０６によって撮影されたＶＤＴ作業者の目の画像に基づいて、ＶＤＴ作業者の目線が画面に向かっていない場合には、上記の作業姿勢の悪さの判定並びにその旨の警告信号の出力を行う必要がなくなるため、これらを無効化することができる。
【００６４】
また、上記の警告信号の出力としては、ＶＤＴ作業者が実際に作業しているＶＤＴ機器１００の表示装置１０３の画面に警告メッセージ１０３５を表示することにより、ＶＤＴ作業者に対してより直接的且つより速やかに作業姿勢の悪さの注意喚起をすることができる。
【００６５】
以上、本実施の形態について説明したが、前述した実施例は、本発明の理解を容易にするためのものであり、本発明を限定して解釈するためのものではない。本発明は、その趣旨を逸脱することなく、変更／改良され得るととともに、本発明にはその等価物も含まれる。
【図面の簡単な説明】
【００６６】
【図１】本発明の一実施形態に係るＶＤＴ機器の構成を示したブロック図である。
【図２】本発明の一実施形態に係るＶＤＴ機器の表示装置における距離センサ並びに画像センサの取付位置を示した図である。
【図３】本発明の一実施形態に係るＶＤＴ作業者と距離センサ並びに画像センサとの位置関係を説明する図である。
【図４】本発明の一実施形態に係る作業姿勢の注意喚起方法の処理の流れを示すフローチャートである。
【符号の説明】
【００６７】
１００  ＶＤＴ機器
１０１  ＣＰＵ
１０２  入力装置
１０３  表示装置
１０５、１０５ａ〜１０５ｅ  距離センサ
１０６  画像センサ
１０７  出力装置
１０８  ＵＳＢインタフェース
１０９  ＵＳＢレシーバ
１１０  メモリ
１１１  ハードディスク
２００  ＶＤＴ作業姿勢判定プログラム
２１０  画像処理モジュール
２２０  距離検出モジュール
２３０  作業姿勢判定モジュール
３００  ノート型パソコン
【図１】
2010046208.tif 000003
【図２】
2010046208.tif 000004
【図３】
2010046208.tif 000005
【図４】
2010046208.tif 000006